(57)【要約】      （修正有）【課題】フェンスの設置及び片付け作業を簡便に行うことができる折りたたみ式卓球フェンスを提供する。【解決手段】フェンスであって、第１レール１０と、複数の略矩形状の板状部材が連結してなる連結板状部２０と、第１レールの第１端部２３を固定し、第１レールを巻き取る機構を含み、連結板状部の一方の側端部と連結される第１支持部と、他方の側端部と連結され、第１レールの第２端部２５を固定する第２支持部と、を有し、板状部材は、第１係合部２４を有し、第１レールは、第１係合部と係合する第１溝部を有し、第１レールは、第２溝部を有する複数の第１レール構成部材がその側端部で互いに連結した構造を有し、第１溝部は、複数の第１レール構成部材の有する第２溝部が接続されて構成される。【選択図】図１
2019176952.tif 000002
【特許請求の範囲】
【請求項１】
第１レールと、
複数の略矩形状の板状部材が連結してなる連結板状部と、
前記第１レールの第１端部を固定し、前記第１レールを巻き取る機構を含み、前記連結板状部の一方の側端部と連結される第１支持部と、
他方の側端部と連結され、前記第１レールの第２端部を固定する第２支持部と、
を有し、
前記板状部材は、第１係合部を有し、
前記第１レールは、前記第１係合部と係合する第１溝部を有し、
前記第１レールは、第２溝部を有する複数のレール構成部材がその側端部で互いに連結した構造を有し、
前記第１溝部は、前記複数の第１レール構成部材の有する前記第２溝部が接続されて構成されるフェンス。
【請求項２】
前記板状部材は、前記第１係合部をその上端部に有する請求項１に記載のフェンス。
【請求項３】
前記板状部材は、前記第１係合部をその下端部に有する請求項１に記載のフェンス。
【請求項４】
第２レールをさらに含み、
前記第１支持部は、前記第２レールの第１端部を固定し前記第２レールを巻き取る機構を含み、
前記第２支持部は、前記第２レールの第２端部を固定し、
前記板状部材は、第２係合部をその下端部に有し、
前記第２レールは、前記第２係合部と接続する第３溝部を有し、
前記第２レールは、第４溝部を有する複数の第２レール構成部材がその側端部で互いに連結した構造を有し、
前記第３溝部は、前記複数の第２レール構成部材の有する第４溝部が接続されて構成される請求項２に記載のフェンス。
【請求項５】
第３係合部を有し、前記連結板状部の前記一方の側端部と連結される第１可動部材と、第４係合部を有し、前記連結板状部の前記他方の側端部と連結される第２可動部材とをさらに含み、
前記第１支持部は、前記第１支持部の側端部に配置され、前記第３係合部と係合する第５溝部を有し、前記第１可動部材を介して前記連結板状部の前記一方の側端部と連結され、
前記第２支持部は、前記第２支持部の側端部に配置され前記第４係合部と係合する第６溝部を有し、前記第２可動部材を介して前記連結板状部の前記他方の側端部と連結される請求項１から４のいずれか一項に記載のフェンス。
【請求項６】
略矩形状の第１小部材と第２小部材とをさらに含み、
前記第１支持部は、前記第１小部材を介して前記連結板状部の前記一方の側端部と連結され、
前記第２支持部は、前記第２小部材を介して前記連結板状部の前記他方の側端部と連結され、
前記第１小部材と前記第２小部材の水平方向の長さは、前記板状部材の水平方向の長さよりも短い請求項１から４のいずれか一項に記載のフェンス。
【請求項７】
第１面に第１溝部を有する複数のレール構成部材が鉛直線と直交する第１方向に互いに連結して構成されるレールと、
前記レールの第１端部を固定し前記レールを巻き取る機構と、を有し、
前記第１溝部が連結して前記第１方向に延伸する第２溝部を構成するレール延長機構。
【請求項８】
前記レールは、鉛直線と略一致する法線を有する面に前記第２溝部を有する請求項７に記載のレール延長機構。
【請求項９】
前記レールは、鉛直線と略直交する法線を有する面に前記第２溝部を有する請求項７に記載のレール延長機構。
【請求項１０】
複数のレール構成部材がその側端部で互いに連結した構造を有するレールと、
前記レールに跨るように係合する二股状の係合部を下端部に有する略矩形状の板状部材が複数連結してなる連結板状部と、
前記レールの第１端部を固定し、前記レールを巻き取る機構を含み、前記連結板状部の一方の側端部と連結される第１支持部と、
他方の側端部と連結され、前記レールの第２端部を固定する第２支持部と、
を有するフェンス。
【発明の詳細な説明】
【技術分野】
【０００１】
本発明はフェンスに関する。特に、折りたたみ式卓球フェンスに関する。
【背景技術】
【０００２】
卓球競技において、ボールが卓球台（コートとも呼ぶ）から外れたとき、ボールが遠くまで飛ぶ、或いは、遠くに転がらないよう、卓球台の周囲をフェンスで囲うのが一般的である。具体的には、当該フェンスの形状は、例えば、横が約１．４ｍ、高さが約０．８ｍの金属製の枠に足を付け、金属製の枠に布或いはビニールなどをかぶせた形状である。卓球競技においては、複数個の当該フェンスを、卓球台の周囲に配置している。
【０００３】
例えば、特許文献１には、標準４枚の固定用フェンスをびょうぶ折りになるように蝶番等で連結された折りたたみフェンスが開示されている。また、特許文献２には、フェンスに磁石を設けることで、隣合せるフェンス同士を着脱自在に連結することができる卓球用防球フェンスが開示されている。
【先行技術文献】
【特許文献】
【０００４】
【特許文献１】特開２０００−１１６８４０号公報
【特許文献２】特開２００３−１１７０３７号公報
【発明の概要】
【発明が解決しようとする課題】
【０００５】
例えば、卓球競技において、運営スタッフが、複数の卓球台を設置するとき、特許文献１に開示されている折りたたみフェンス、或いは、特許文献２に開示されている卓球用防球フェンスを準備するには、フェンスを広げる、或いは、フェンスを組み立てるための時間、及び労力を要する。また、競技終了後の後片付けのときも、運営スタッフが、フェンスを収納、或いは、フェンスを解体するための時間及び労力を要する。
【０００６】
このような課題に鑑み、本発明の一実施形態は、フェンスの設置及び片付け作業を簡便に行うことを目的の一つとする。
【課題を解決するための手段】
【０００７】
本発明の一実施形態は、フェンスであって、第１レールと、複数の略矩形状の板状部材が連結してなる連結板状部と、第１レールの第１端部を固定し、第１レールを巻き取る機構を含み、連結板状部の一方の側端部と連結される第１支持部と、他方の側端部と連結され、第１レールの第２端部を固定する第２支持部と、を有し、板状部材は、第１係合部を有し、第１レールは、第１係合部と係合する第１溝部を有し、第１レールは、第２溝部を有する複数の第１レール構成部材がその側端部で互いに連結した構造を有し、第１溝部は、複数の第１レール構成部材の有する第２溝部が接続されて構成される。
【０００８】
板状部材は、第１係合部をその上端部に有していてもよい。
【０００９】
板状部材は、第１係合部をその下端部に有していてもよい。
【００１０】
第２レールをさらに含み、第１支持部は、第２レールの第１端部を固定し第２レールを巻き取る機構を含み、第２支持部は、第２レールの第２端部を固定し、板状部材は、第２係合部をその下端部に有し、第２レールは、第２係合部と接続する第３溝部を有し、第２レールは、第４溝部を有する複数の第２レール構成部材がその側端部で互いに連結した構造を有し、第３溝部は、複数の第２レール構成部材の有する第４溝部が接続されて構成されていてもよい。
【００１１】
第３係合部を有し、連結板状部の一方の側端部と連結される第１可動部材と、第４係合部を有し、連結板状部の他方の側端部と連結される第２可動部材とをさらに含み、第１支持部は、第１支持部の側端部に配置され、第３係合部と係合する第３溝部を有し、第１可動部材を介して連結板状部の前記一方の側端部と連結され、第２支持部は、第２支持部の側端部に配置され第４係合部と係合する第４溝部を有し、第２可動部材を介して連結板状部の他方の側端部と連結されてもよい。
【００１２】
略矩形状の第１小部材と第２小部材とをさらに含み、第１支持部は、第１小部材を介して連結板状部の一方の側端部と連結され、第２支持部は、第２小部材を介して連結板状部の他方の側端部と連結され、第１小部材と第２小部材の水平方向の長さは、板状部材の水平方向の長さよりも短くてもよい。
【００１３】
本発明の一実施形態は、レール延長機構であって、第１面に第１溝部を有する複数のレール構成部材が鉛直線と直交する第１方向に互いに連結して構成されるレールと、レールの第１端部を固定しレールを巻き取る機構と、を有し、第１溝部が連結して第１方向に延伸する第２溝部を構成する。
【００１４】
レールは、鉛直線と略一致する法線を有する面に第２溝部を有していてもよい。
【００１５】
レールは、鉛直線と略直交する法線を有する面に第２溝部を有していてもよい。
【００１６】
本発明の一実施形態は、フェンスであって、複数のレール構成部材がその側端部で互いに連結した構造を有するレールと、レールに跨るように係合する二股状の係合部を下端部に有する略矩形状の板状部材が複数連結してなる連結板状部と、レールの第１端部を固定し、レールを巻き取る機構を含み、連結板状部の一方の側端部と連結される第１支持部と、他方の側端部と連結され、レールの第２端部を固定する第２支持部とを有する。
【発明の効果】
【００１７】
本発明によれば、フェンスの設置及び片付け作業を簡便に行うことができる。
【図面の簡単な説明】
【００１８】
【図１】（ａ）は本発明の一実施形態に係るフェンスの模式的な側面図であり、（ｂ）は本発明の一実施形態に係るフェンスの模式的な断面図であり、（ｃ）は本発明の一実施形態に係るフェンスの模式的な上面図である。
【図２】（ａ）は本発明の一実施形態に係る収納時におけるフェンスの模式的な側面図であり、（ｂ）は本発明の一実施形態に係る収納時におけるフェンスの模式的な断面図であり、（ｃ）及び（ｄ）は本発明の一実施形態に係る収納時におけるフェンスの模式的な上面図である。
【図３】（ａ）は本発明の一実施形態に係るフェンスが有する連結板状部の模式的な側面図であり、（ｂ）は本発明の一実施形態に係るフェンスが有する連結板状部の模式的な上面図であり、（ｃ）は本発明の一実施形態に係るフェンスが有する連結板状部の収納時における模式的な側面図であり、（ｄ）は本発明の一実施形態に係るフェンスが有する連結板状部の収納時における模式的な上面図である。
【図４】（ａ）は本発明の一実施形態に係るフェンスが有する連結板状部の模式的な側面図であり、（ｂ）は本発明の一実施形態に係るフェンスが有する連結板状部の模式的な上面図であり、（ｃ）は連結板状部が広げられる、あるいは、たたまれる途中の状態における模式的な上面図であり、（ｄ）は本発明の一実施形態に係るフェンスが有する連結板状部の収納時における模式的な側面図であり、（ｅ）は本発明の一実施形態に係るフェンスが有する連結板状部の収納時における模式的な上面図である。
【図５】（ａ）は本発明の一実施形態に係るフェンスが有する連結板状部の模式的な上面図であり、（ｂ）は本発明の一実施形態に係るフェンスが有する連結板状部の収納時における模式的な上面図である。
【図６】（ａ）は本発明の一実施形態に係るフェンスが有するレール構成部材の模式図であり、（ｂ）は本発明の一実施形態に係るフェンスが有するレール構成部材の模式的な上面図であり、（ｃ）は本発明の一実施形態に係るフェンスが有するレールの一部を示す模式的な上面図である。
【図７】（ａ）は本発明の一実施形態に係るレールが下部に設けられたフェンスの模式的な側面図であり、（ｂ）は本発明の一実施形態に係るレールが下部に設けられたフェンスの模式的な断面図であり、（ｃ）は本発明の一実施形態に係るレールが下部に設けられたフェンスの模式的な上面図である。
【図８】（ａ）は本発明の一実施形態に係る収納時におけるレールが下部に設けられたフェンスの模式的な側面図であり、（ｂ）は本発明の一実施形態に係る収納時におけるレールが下部に設けられたフェンスの模式的な断面図であり、（ｃ）は本発明の一実施形態に係る収納時におけるレールが下部に設けられたフェンスの模式的な上面図である。
【図９】（ａ）は本発明の一実施形態に係るレールが２箇所に設けられたフェンスの模式的な側面図であり、（ｂ）は本発明の一実施形態に係るレールが２箇所に設けられたフェンスの収納時における模式的な側面図である。
【図１０】（ａ）は本発明の一実施形態に係るレールが２箇所に設けられたフェンスの模式的な側面図であり、（ｂ）は本発明の一実施形態に係るレールが２箇所に設けられたフェンスの収納時における模式的な側面図である。
【図１１】（ａ）は本発明の一実施形態に係る可動部材が設けられたフェンスの模式的な側面図であり、（ｂ）は本発明の一実施形態に係る可動部材が設けられたフェンスの収納時における模式的な側面図である。
【図１２】（ａ）は本発明の一実施形態に係る可動部材が設けられたフェンスにおいて、当該フェンスが可動している状態を示す模式的な側面図であり、（ｂ）は本発明の一実施形態に係る可動部材の模式的な正面図であり、（ｃ）は本発明の一実施形態に係る支持部の模式的な上面図であり、（ｄ）は本発明の一実施形態に係る収納時におけるフェンスの模式的な上面図である。
【図１３】（ａ）は本発明の一実施形態に係る第２板状部材が設けられたフェンスの模式的な側面図であり、（ｂ）は本発明の一実施形態に係る第２板状部材が設けられたフェンスの収納時の模式的な側面図である。
【図１４】（ａ）は本発明の一実施形態に係る第２板状部材が設けられたフェンスの模式的な断面図であり、（ｂ）は本発明の一実施形態に係る第２板状部材が設けられたフェンスの模式的な上面図である。
【図１５】（ａ）は本発明の一実施形態に係るフェンスが有するレール構成部材の模式図であり、（ｂ）は本発明の一実施形態に係るフェンスが有するレール構成部材の模式的な上面図であり、（ｃ）は本発明の一実施形態に係るフェンスが有するレールの一部を示す模式的な上面図であり、（ｄ）は本発明の一実施形態に係るフェンスの模式的な上面図である。
【図１６】（ａ）は本発明の一実施形態に係るフェンスが有するレール構成部材の模式図であり、（ｂ）は本発明の一実施形態に係るフェンスが有するレール構成部材の模式的な上面図であり、（ｃ）は本発明の一実施形態に係るフェンスが有するレールの一部を示す模式的な上面図であり、（ｄ）は本発明の一実施形態に係る第１係合部の模式的な正面図である。
【図１７】（ａ）は本発明の一実施形態に係るフェンスが有するレール構成部材の模式図であり、（ｂ）は本発明の一実施形態に係るフェンスが有するレール構成部材の模式的な上面図であり、（ｃ）は本発明の一実施形態に係るフェンスが有するレールの一部を示す模式的な上面図であり、（ｄ）は本発明の一実施形態に係る係合部の模式的な正面図であり、（ｅ）は本発明の一実施形態に係る係合部が板状部材に設けられた状態の模式図である。
【発明を実施するための形態】
【００１９】
以下、本発明の実施形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。さらに、本明細書と各図において、既出の図に関して前述したものと同様の要素には、同一の符号（又は数字の後にａ、ｂなどを付した符号）を付して、詳細な説明を適宜省略することがある。なお、各要素に対する「第１」、「第２」と付記された文字は、各要素を区別するために用いられる便宜的な標識であり、特段の説明がない限りそれ以上の意味を有さない。
【００２０】
また、説明の便宜上、上方、下方、前方、後方、右方、左方といった方向を示す語句を用いるが、重力の働く方向が下方であり、その逆が上方である。例えば、図面では、Ｕとその矢印は側面視において上、上方を表す。Ｄとその矢印は側面視において下、下方を表す。本明細書において、ある部材又は領域が他の部材又は領域の「上に（又は下に）」あるとする場合、特段の限定がない限りこれは他の部材又は領域の直上（又は直下）にある場合のみでなく他の部材又は領域の上方（又は下方）にある場合を含み、即ち、他の部材又は領域の上方（又は下方）において間に別の構成要素が含まれている場合も含む。
【００２１】
１．発明の背景
発明者らは、卓球競技において、ボールが卓球台（コートとも呼ぶ）から外れたとき、ボールが遠くまで飛ぶ、或いは、遠くに転がらないよう、卓球台の周辺を取り囲むフェンスについて検討している。また、発明者らは、当該フェンスの設置及び片付けに要する時間と労力を短縮できるようなフェンスの構造について検討している。そして、発明者らは、係合部を有する板状部材を複数連結し、当該係合部に係合され、巻き取り機構によって巻き取りが可能なレールが設けられたフェンスを考案した。発明者らは、上記フェンスは、レール巻き取り機構によって、レールを巻き取ることで、容易に板状部材をたたむことができ、レール巻き取り機構によって巻き取られたレールを伸ばすことによって、たたまれた板状部材を、容易に広げることができるため、卓球台の周囲への当該フェンスの設置と片付けを短時間で行うことができることを見出した。
【００２２】
２．第１実施形態
本実施形態では、本発明の一実施形態に係るフェンスを説明する。当該フェンスは、折りたたみ式卓球フェンスである。
【００２３】
図１（ａ）は本発明の一実施形態に係るフェンス１００の模式的な側面図である。図１（ｂ）は本発明の一実施形態に係るフェンス１００の模式的な断面図である。図１（ｃ）は本発明の一実施形態に係るフェンス１００の模式的な上面図である。なお、図１（ｂ）は、図１（ｃ）のＡ１−Ａ２線に沿った模式的な断面図である。
【００２４】
フェンス１００は、第１レール１０、連結板状部２０、第１レール巻き取り機構３０、第１支持部４０、及び第２支持部４２を有する。第１レール１０は、複数の第１レール構成部材１２から構成される。第１レール１０の第１端部２３は第１レール巻き取り機構３０を介して第１支持部４０に固定されている。第１レール１０の第２端部２５は第２支持部４２に固定されている。連結板状部２０は、複数の第１板状部材２２と、後述する連結部材２６から構成される。連結板状部２０の一方の側端部は、第１支持部４０と折りたたみ可能に連結されている。連結板状部２０の他方の側端部は、第２支持部４２と折りたたみ可能に連結されている。第１板状部材２２は第１板状部材２２の上部に第１係合部２４を有する。本実施形態においては、第１板状部材２２の上端部に第１係合部２４が設けられた例を示す。第１レール巻き取り機構３０は、第１レール１０と接続されている。
【００２５】
図１においては、第１板状部材２２は、平面視において、矩形状である。矩形とは、一般的に、全ての角が直角である四角形のことをいう。本明細書等においては、第１板状部材２２は、矩形状であってもよいし、略矩形状であってもよい。本明細書等においては、略矩形とは、例えば、長方形、正方形などの四角形において、角が丸みを帯びた形状のことをいう。また、図１においては、連結板状部２０が、２枚の第１板状部材２２から構成される例を示す。連結板状部２０を構成する第１板状部材２２の枚数は、図１の構成に限定されない。第１板状部材２２の枚数を増やすことで、フェンス１００を広げたときのｘ方向の長さを長くすることができる。即ち、卓球台の周囲を覆うフェンスの数を少なくすることができる。したがって、フェンスの設置及び片付けの時間を短縮することができる。なお、第１板状部材２２の材料は、例えば、木材であってもよいし、金属であってもよいし、硬質プラスチックであってもよい。また、本明細書等において、フェンスを広げたときのｘ方向を水平方向とよぶこともある。
【００２６】
第１レール巻き取り機構３０は、第１レール１０を巻き取ることができる。第１レール巻き取り機構は、例えば、糸を巻き取るボビン（本明細書においては巻き車とも呼ぶ）のように、２枚のフランジと各フランジの略中心に接続された棒状部材とから構成される。第１レール巻き取り機構３０を、棒状部材を軸心として回転させることで、第１レール１０を棒状部材に巻き取ることができる。また、第１レール巻き取り機構は、例えば、巻き車にゼンマイ、または、発条を設けられることによって、第１支持部４０を押すことで自動的に第１レール１０を巻き取ることができるようにしてもよい。
【００２７】
第１支持部４０及び第２支持部４２は、図１に示されるように、四角形状の支柱であることが好ましい。第１支持部４０及び第２支持部４２は、図１に示されるような形状とすることで、フェンス１００を安定して立てることができる。また、第１支持部４０及び第２支持部４２は、キャスター（図示せず）が設けられ、フェンス１００を移動可能になっている。
【００２８】
図２（ａ）は本発明の一実施形態に係る収納時におけるフェンスの模式的な側面図である。図２（ｂ）は本発明の一実施形態に係る収納時におけるフェンスの模式的な断面図である。図２（ｃ）は本発明の一実施形態に係る収納時におけるフェンスの模式的な上面図である。なお、図２（ｂ）は、図２（ｃ）のＢ１−Ｂ２線に沿った模式的な断面図である。
【００２９】
フェンス１００は、図２に示されるように、連結板状部２０を構成する複数の第１板状部材２２がたたまれるように構成されている。なお、図２（ｄ）に示すように、フェンス１００を構成する第１支持部４０及び第２支持部４２は、それぞれが、四辺のうち、一辺が無いコの字状になっており、第１板状部材２２がたたまれて、収容可能になっていてもよい。第１支持部４０及び第２支持部４２が、第１板状部材２２を収容可能な構造とすることで、フェンス１００を小さくたたむことができるため、小さな空間に収容することができる。第１支持部４０及び第２支持部４２は、第１板状部材２２がたたまれて、収容可能になっているとき、収容部と呼ばれることもある。
【００３０】
図３（ａ）は本発明の一実施形態に係るフェンスが有する連結板状部２０の模式的な側面図である。図３（ｂ）は本発明の一実施形態に係るフェンスが有する連結板状部２０の模式的な上面図である。図３（ｃ）は本発明の一実施形態に係るフェンスが有する連結板状部２０の収納時における模式的な側面図である。図３（ｄ）は本発明の一実施形態に係るフェンスが有する連結板状部２０の収納時における模式的な上面図である。
【００３１】
連結板状部２０において、第１板状部材２２は、隣接する第１板状部材２２と、連結部材２６によって、連結されている。連結部材２６は、例えば、蝶番である。連結板状部２０は、複数の第１板状部材２２と連結部材２６によって構成されることによって、広げた状態、及び、たたんだ状態にすることができる。なお、図３において、第１板状部材２２は、隣接する第１板状部材２２と、一つの連結部材２６によって、連結されている例が示されている。第１板状部材２２と、隣接する第１板状部材２２とを連結する連結部材２６の数は、二つ以上であってもよい。第１板状部材２２と、隣接する第１板状部材２２とを連結する連結部材２６の数を増やすことによって、第１板状部材２２と、隣接する第１板状部材２２とが固定される個所が増えるため、フェンスを設置した際の、フェンスの安定度を向上できる。
【００３２】
なお、図３において、連結部材２６は、第１板状部材２２にはめ込まれている。即ち、図３は、連結板状部２０がたたまれた状態では、隣接する第１板状部材２２同士が接するように構成されている例を示している。連結部材２６は、第１板状部材２２にはめ込まれずに、連結板状部２０がたたまれた状態では、隣接する第１板状部材２２同士が、連結部材２６の分、隙間があるように構成されていてもよい。
【００３３】
図４（ａ）は本発明の一実施形態に係るフェンスが有する連結板状部２０の模式的な側面図である。図４（ｂ）は本発明の一実施形態に係るフェンスが有する連結板状部２０の模式的な上面図である。図４（ｃ）は連結板状部２０が広がる或いはたたまれる途中の状態における模式的な上面図である。図４（ｄ）は本発明の一実施形態に係るフェンスが有する連結板状部２０の収納時における模式的な側面図である。図４（ｅ）は本発明の一実施形態に係るフェンスが有する連結板状部２０の収納時における模式的な上面図である。図４（ａ）、図４（ｂ）、図４（ｄ）、及び図４（ｅ）に示す連結板状部２０は、それぞれ、図３（ａ）、図３（ｂ）、図３（ｃ）、及び図３（ｄ）に示された連結板状部２０と比較して、連結部材の形状、及び、連結部材を第１板状部材２２に設ける構成が異なる。他の構成は同様であるから、ここでの説明は省略する。
【００３４】
連結板状部２０において、第１板状部材２２は、隣接する第１板状部材２２と、連結部材２７によって、連結されている。連結部材２７は、例えば、金属状の板である。図４（ｂ）に示すように、連結部材２７には、例えば、楕円形状の孔３６が設けられている。連結部材２７は、楕円形状の孔３６を介して、支持部材２９によって、第１板状部材２２に支持される。なお、連結部材２７は、支持部材２９によって、第１板状部材２２に対して、回動可能となっている。また、支持部材２９は、図４（ｃ）に示すように、隣接する第１板状部材２２に設けられた支持部材２９との距離が最も遠い場合においても、回動可能なように設けられる。ここで、図４（ｃ）においては、楕円形状の孔３６は、連結部材２７の各辺に対しておよそ４５°傾いて設けられている例を示しているが、この例に限定されない。楕円形状の孔３６は、連結部材２７が、支持部材２９によって、第１板状部材２２に対して、円滑に回動可能となる配置であればよい。他の例として、楕円形状の孔３６は、連結部材２７の長辺に対して平行であってもよい。なお、楕円形状の孔３６の大きさは、支持部材２９が、第１板状部材２２に対して、回動可能となる大きさであって、かつ、楕円形状の孔３６の大きさは、連結部材２７が支持部材２９から外れない大きさであればよい。
【００３５】
連結板状部２０は、複数の第１板状部材２２、連結部材２７、及び支持部材２９で構成されることによって、広げた状態、及び、たたんだ状態にすることができる。また、楕円形状の孔３６を連結部材２７に設けることによって、連結部材２７が、第１板状部材２２に対して、より回動しやすくなるため、連結板状部２０を広げた状態にすること、及び、連結板状部２０をたたんだ状態にすることを、円滑に行うことができる。
【００３６】
図５（ａ）は、図４（ｂ）に示した連結板状部２０の変形例を示す模式的な上面図である。図５（ｂ）は、図４（ｅ）に示した連結板状部２０の変形例の収納時における模式的な上面図である。図５（ａ）、及び図５（ｂ）に示す連結板状部２０は、それぞれ、図４（ｂ）、及び図４（ｅ）に示された連結板状部２０と比較して、連結部材の形状、及び、連結部材を第１板状部材２２に設ける構成が異なる。他の構成は同様であるから、ここでの説明は省略する。
【００３７】
図５（ａ）及び図５（ｂ）に示すように、第１板状部材２２の端部は、面が取られている。図５（ａ）及び図５（ｂ）では、第１板状部材２２の端部は、例えば、略半円状の例が示されている。
【００３８】
連結板状部２０において、第１板状部材２２は、隣接する第１板状部材２２と、連結部材２７によって、連結されている。連結部材２７は、例えば、金属状の板である。連結部材２７には、孔が設けられている。連結部材２７は、孔を介して、支持部材２９によって、第１板状部材２２に支持される。なお、連結部材２７は、支持部材２９によって、第１板状部材２２に対して、回動可能となっている。
【００３９】
支持部材２９は、第１板状部材２２の略半円状の端部の直径の略中心に設けられる。支持部材２９は、例えば、ボルトのように、頭部の径が、円筒部及びネジ部の径よりも大きい。なお、支持部材２９の形状は、ボルトのような形状に限定されない。例えば、ボルトの頭部に相当する部分が多角形であってもよし、ボルトの円筒部及びネジ部に相当する部分が角柱状であってもよい。支持部材２９は、連結部材２７が、回動可能となるように、第１板状部材２２に設けられる構造であればよい。
【００４０】
連結板状部２０において、第１板状部材２２の端部を面取りすることによって、連結部材２７は、第１板状部材２２に対して、より回動しやすくなるため、連結板状部２０を広げた状態にすること、及び、連結板状部２０をたたんだ状態にすることを、円滑に行うことができる。
【００４１】
図６（ａ）は本発明の一実施形態に係るフェンス１００が有する第１レール構成部材１２の模式図である。図６（ｂ）は本発明の一実施形態に係るフェンス１００が有する第１レール構成部材１２の模式的な上面図である。図６（ｃ）は本発明の一実施形態に係るフェンス１００が有する第１レール１０の一部を示す模式的な上面図である。
【００４２】
第１レール構成部材１２は、凸部に二つの孔部１３、凹部に二つの突起部１５、及び、第２溝部１６を有する。第２溝部１６が設けられる面を第１面と呼ぶことがある。図６においては、孔部１３の形状は、開口部が円の有底孔である例を示すが、この例に限定されない。例えば、二つの孔部１３は、一続きの貫通孔であってもよい。孔部１３が一続きの貫通孔であるとき、第１レール構成部材１２の製造工程において、二つの有底孔を開ける代わりに、一つの貫通孔を開ければよいため、当該部材の製造工程を少なくし、フェンス１００の製造費用を抑えることができる。また、二つの突起部１５の形状は、円柱状である。なお、開口部は概略円状であってもよいし、楕円状であってもよい。詳細は後述するが、孔部１３の開口部が、突起部１５の円柱と嵌合できる形状であればよい。
【００４３】
また、第２溝部１６は、溝の断面が楕円、又は、円の一部を切り取った形状をしている。溝の断面が楕円、又は、円の一部を切り取った形状であることによって、第２溝部１６と第１係合部２４とが係合したとき、容易に外れない状態にすることができる。また、第１係合部２４が、第２溝部１６に沿って、摺動することができる。
【００４４】
図６（ｃ）に示すように、第１レール１０は、複数の第１レール構成部材１２から構成される。具体的には、第１レール１０は、第１レール構成部材１２の二つの孔部１３に、隣接する第１レール構成部材１２の二つの突起部１５を嵌合することで、構成される。このとき、二つの孔部１３のそれぞれの円の中心を結ぶ中心線と、二つの突起部１５のそれぞれの円柱の円の中心を結ぶ中心線とは略一致する。第１レール構成部材１２の二つの孔部１３に、隣接する第１レール構成部材１２の二つの突起部１５を嵌合することによって、当該中心線を回転軸として、第１レール構成部材１２が隣接する第１レール構成部材１２に対して、回動可能になっている。図６（ｃ）は、第１レール構成部材１２を３個嵌合させた第１レール１０の一部を示している。また、第１レール１０が有する第１溝部１４は、第１レール１０を構成する複数の第１レール構成部材１２のそれぞれが有する第２溝部１６が接続されて構成されている。また、第１レール１０は、鉛直線と略一致する法線を有する面に第１溝部１４を有している。実際に使用される第１レール１０は、フェンス１００を広げたときのｘ方向の長さに合わせて、複数の第１レール構成部材１２が嵌合されている。第１レール１０は、以上のような構成を有することによって、第１レール巻き取り機構３０によって、巻き取られる構成となっている。
【００４５】
また、第１レール１０は、第２溝部１６を有する複数の第１レール構成部材１２が鉛直線と直交する方向に互いに連結されて構成されると言い換えてもよい。さらに、第１溝部１４は、第２溝部１６が連結し、鉛直線と直交する方向に延伸しているとしてもよい。なお、鉛直線とは、重力が働く方向である。本明細書等では、レールと、レール巻き取り機構とを含み、レールを構成する溝部は、レール構成部材が有する溝部が連結し、鉛直線と直交する方向に延伸している機構を、レール延長機構と呼ぶ。
【００４６】
以上説明したように、本発明の一実施形態におけるフェンス１００は、第１係合部２４を有する第１板状部材２２を複数連結し、当該第１係合部２４に係合され、第１レール巻き取り機構３０によって巻き取りが可能な第１レール１０が設けられたフェンスである。本発明の一実施形態におけるフェンス１００は、第１レール巻き取り機構３０によって、第１レール１０を巻き取ることで、容易に連結板状部２０をたたむことができる。また、本発明の一実施形態におけるフェンス１００は、第１レール巻き取り機構３０によって、巻き取られた第１レール１０を伸ばすことによって、たたまれた連結板状部２０を、容易に広げることができる。したがって、本発明の一実施形態におけるフェンス１００を用いることによって、卓球競技の設営スタッフは、卓球台の周囲への当該フェンスの設置作業と片付け作業を、少ない労力で、かつ、短時間で行うことができる。また、本発明の一実施形態におけるフェンス１００は、小さくたたまれるため、収納スペースが少なくてすむ。
【００４７】
３．第２実施形態
本実施形態では、本発明の一実施形態に係るレールが下部に設けられたフェンスを説明する。なお、第１実施形態と同様の説明は省略することがある。
【００４８】
図７（ａ）は本発明の一実施形態に係るレールが下部に設けられたフェンス２００の模式的な側面図である。図７（ｂ）は本発明の一実施形態に係るレールが下部に設けられたフェンス２００の模式的な断面図である。図７（ｃ）は本発明の一実施形態に係るレールが下部に設けられたフェンス２００の模式的な上面図である。フェンス２００は、レールがフェンスの下部に設けられた以外は、実施形態１で説明したフェンス１００の構成と同様であるから、本実施形態においては、実施形態１で説明した内容は省略する。なお、図７（ｂ）は、図７（ｃ）のＣ１−Ｃ２線に沿った模式的な断面図である。
【００４９】
フェンス２００は、第２レール５０、連結板状部２０、第２レール巻き取り機構６０、支持部材４１、支持部材４３、第１支持部４０、及び第２支持部４２を有する。本実施形態においては、第１板状部材２２の下端部に第２係合部５４が設けられた例を示す。第２係合部５４は、第１係合部２４と同様の部材を用いることができる。フェンス２００において、第１支持部４０の内側には支持部材４１が設けられており、第２支持部４２の内側には支持部材４３が設けられている。第２レール５０は、複数の第２レール構成部材５２から構成される。第２レール構成部材５２は第１レール構成部材１２と同様の部材を用いることができる。第２レール５０の第１端部２３は支持部材４１に固定されている。第２レール５０の第２端部２５は支持部材４３に固定されている。第２レール巻き取り機構６０は、支持部材４１によって支持され、第２レール５０と接続されている。第２レール巻き取り機構６０は、第１レール巻き取り機構３０と同様の構成を用いることができる。なお、第２レール巻き取り機構６０、第２レール５０の第１端部２３、及び第２レール５０の一部は、第１支持部４０の内側に設けられ、第２レール５０の第２端部２５、及び第２レール５０の一部は、第２支持部４２の内側に設けられている。
【００５０】
第１レール構成部材１２が有する第２溝部１６は、第２レール構成部材５２においては第４溝部と呼び、第１レール１０の第１溝部１４は、第２レールにおいては第３溝部と呼ぶ。
【００５１】
図８（ａ）は本発明の一実施形態に係る収納時におけるレールが下部に設けられたフェンス２００の模式的な側面図である。図８（ｂ）は本発明の一実施形態に係る収納時におけるレールが下部に設けられたフェンス２００の模式的な断面図である。図８（ｃ）は本発明の一実施形態に係る収納時におけるレールが下部に設けられたフェンス２００の模式的な上面図である。なお、図８（ｂ）は、図８（ｃ）のＤ１−Ｄ２線に沿った模式的な断面図である。
【００５２】
フェンス２００は、図２に示されたフェンス１００と同様に、連結板状部２０を構成する複数の第１板状部材２２がたたまれるように構成されている。
【００５３】
以上説明したように、本発明の一実施形態におけるフェンスは、レールが下部に設けられたフェンスである。本発明の一実施形態におけるフェンス２００は、フェンスの下部に設けられた第２レール巻き取り機構６０によって、第２レール５０を巻き取ることで、容易に連結板状部２０をたたむことができる。また、本発明の一実施形態におけるフェンス２００は、フェンスの下部に設けられた第２レール巻き取り機構６０によって、巻き取られた第２レール５０を伸ばすことによって、たたまれた連結板状部２０を、容易に広げることができる。したがって、フェンスの下部にレールが設けられていても、卓球競技の設営スタッフは、卓球台の周囲への当該フェンスの設置作業と片付け作業を、少ない労力で、かつ、短時間で行うことができる。また、フェンスの下部に設けられたレールは、連結板状部２０が床面に落ちないように支持することができる。
【００５４】
４．第３実施形態
本実施形態では、本発明の一実施形態に係るレールが２箇所に設けられたフェンスの構成を説明する。なお、第１実施形態または第２実施形態と同様の説明は省略することがある。
【００５５】
図９（ａ）は本発明の一実施形態に係るレールが２箇所に設けられたフェンス３００の模式的な側面図である。図９（ｂ）は本発明の一実施形態に係るレールが２箇所に設けられたフェンス３００の収納時における模式的な側面図である。フェンス３００は、第２実施形態で示したフェンス２００に、第１実施形態で示した第１レール１０を組み合わせることによって、２つのレールを有する。フェンス２００及び第１レール１０は、それぞれ、第２実施形態及び第１実施形態において、説明しているため、ここでの説明は省略する。
【００５６】
フェンス３００において、第１レール巻き取り機構３０と、第２レール巻き取り機構６０とは、それぞれの巻き車が歯車状になっている（図示は省略）。すなわち、それぞれの巻き車のフランジの周縁は複数の溝を有し、歯車として機能するように構成されている。チェーン３２は、第１レール巻き取り機構３０と、第２レール巻き取り機構６０との間で交差するように、それぞれの巻き車に巻かれている。チェーン３２が、第１レール巻き取り機構３０と、第２レール巻き取り機構６０との間で交差するように、それぞれの巻き車に巻かれることによって、第１レール巻き取り機構３０の巻き車、及び、第２レール巻き取り機構６０の巻き車が、図９（ａ）に示す矢印の方向に、連動して回転するようになっている。第１レール巻き取り機構３０の巻き車と、第２レール巻き取り機構６０の巻き車とが、連動して回転することによって、フェンス３００をたたむとき、及び、広げるときに、連結板状部２０の上部と下部を同時に動かすことができるため、フェンスが歪む、破損することを防止することができる。なお、フェンス３００において、第１レール巻き取り機構３０と、第２レール巻き取り機構６０とは、それぞれ、第１実施形態、第２実施形態で説明したように、チェーン３２が巻かれていなくてもよい。また、チェーン３２は、ベルト状になっていてもよい。第１レール巻き取り機構３０と、第２レール巻き取り機構６０とが、連動して回転する構成になっていればよい。
【００５７】
図１０（ａ）は本発明の一実施形態に係るレールが２箇所に設けられたフェンス３００の模式的な側面図である。図１０（ｂ）は本発明の一実施形態に係るレールが２箇所に設けられたフェンス３００の収納時における模式的な側面図である。図１０（ａ）、及び図１０（ｂ）に示すフェンス３００は、それぞれ、図９（ａ）、及び図９（ｂ）に示されたフェンス３００と比較して、チェーン３２の巻き方、及び、第２レール巻き取り機構の構成が異なる。他の構成は同様であるから、ここでの説明は省略する。
【００５８】
フェンス３００において、第１レール巻き取り機構３０の巻き車と、巻き車６３と、第２レール巻き取り機構６２の巻き車とは、図９（ａ）と同様に、それぞれの巻き車が歯車状になっている（図示は省略）。チェーン３２は、第１レール巻き取り機構３０の巻き車と、巻き車６３の一方のフランジ（上述のように、周縁は複数の溝を有する）とに、巻かれている。また、フェンス３００において、巻き車６３の他方のフランジ（上述のように、周縁は複数の溝を有する）は、第２レール巻き取り機構６２の巻き車と噛み合うように構成されている。よって、第１レール巻き取り機構３０の巻き車、巻き車６３、及び、第２レール巻き取り機構６２の巻き車が、チェーン３２を介して、図１０（ａ）に示す矢印の方向に、連動して回転するようになっている。したがって、フェンス３００は、図１０（ａ）に示した構成を有することによって、第１レール巻き取り機構３０が第１レール１０を巻き取ることと、第２レール巻き取り機構６２が第２レール５０を巻き取ることとを、連動させることができる。また、フェンス３００は、図１０（ａ）に示した構成を有することによって、第１レール巻き取り機構３０が巻き取った第１レール１０を伸ばすことと、第２レール巻き取り機構６２が巻き取った第２レール５０を伸ばすこととを、連動させることができる。なお、第１レール巻き取り機構３０と、第２レール巻き取り機構６２とを連動させる構成は、巻き車６３を用いる構成に限定されない。第１レール巻き取り機構３０と、第２レール巻き取り機構６２とが連動して、フェンス３００をたたむことと、フェンス３００を広げることとが可能な構成とすればよい。
【００５９】
以上説明したように、本発明の一実施形態におけるレールが２箇所に設けられたフェンスは、フェンスが歪むことなく、或いは、破損することなく、安定してたたむ、或いは、広げることができる。また、フェンスの下部に設けられたレールは、連結板状部２０が床面に落ちないように支持することができる。本発明の一実施形態におけるレールが２箇所に設けられたフェンスを用いることによって、卓球競技の設営スタッフは、卓球台の周囲への当該フェンスの設置作業と片付け作業を、少ない労力で、かつ、短時間で行うことができる。
【００６０】
５．第４実施形態
本実施形態では、本発明の一実施形態に係る可動部材が設けられたフェンスを説明する。なお、第１実施形態乃至第３実施形態と同様の説明は省略することがある。
【００６１】
図１１（ａ）は本発明の一実施形態に係る可動部材が設けられたフェンス４００の模式的な側面図である。図１１（ｂ）は本発明の一実施形態に係る可動部材が設けられたフェンス４００の収納時における模式的な側面図である。
【００６２】
フェンス４００は、第１レール１０、連結板状部２０、第１レール巻き取り機構３０、第１可動部材８０、第２可動部材８２、第１支持部４４、及び第２支持部４６を有する。第１レール１０、連結板状部２０、第１レール巻き取り機構３０、第１支持部４４、及び第２支持部４６に関する説明は、第１実施形態において説明しているため、ここでの説明は省略する。連結板状部２０の一方の側端部は、第１可動部材８０と折りたたみ可能に連結されている。第１可動部材８０は第１支持部４４に対して上方及び下方に摺動可能に取り付けられている。連結板状部２０の他方の側端部は、第２可動部材８２と折りたたみ可能に連結されている。第２可動部材８２は第２支持部４６に対して上方及び下方に摺動可能に取り付けられている。また、第１支持部４４及び第２支持部４６は、キャスター（図示せず）が設けられ、フェンス４００を移動可能になっている。
【００６３】
図１２（ａ）は本発明の一実施形態に係る可動部材が設けられたフェンス４００において、当該フェンス４００が可動している状態を示す模式的な側面図である。図１２（ｂ）は本発明の一実施形態に係る第１可動部材８０の模式的な正面図である。図１２（ｃ）は本発明の一実施形態に係る第１支持部４４の模式的な上面図である。図１２（ｄ）は本発明の一実施形態に係る収納時におけるフェンス４００の模式的な上面図である。
【００６４】
図１２（ｂ）に示されるように、第１可動部材８０が有する第３係合部８１は正面からみて左側に２つ、右側に２つ設けられているが、第１可動部材８０が有する第３係合部８１はここで示す構成に限定されない。第１可動部材８０が、複数の第３係合部８１を有することで、第１可動部材８０が第１支持部４４から外れることを防止することができる。なお、第２可動部材８２は、第１可動部材８０と同様の構成を有する。第１可動部材８０が有する第３係合部８１は、第２可動部材８２においては第４係合部と呼ぶ。
【００６５】
図１２（ｃ）及び図１２（ｄ）に示されるように、第１支持部４４は、上面視において、コの字状である例を示す。第１支持部４４は、上面視において、ｘ方向と平行な２つの面の両方に互いに対向するように第５溝部４８を有する。第１可動部材８０が有する第３係合部８１が、第５溝部４８に対して、上方及び下方に摺動可能に嵌合される。なお、第２支持部４６は、第１支持部４４と同様の構成を有する。第１支持部４４が有する第５溝部４８は、第２支持部４６においては第６溝部と呼ぶ。なお、第５溝部及び第６溝部は、同じ面に互いに平行に２本以上設けられてもよい。第５溝部及び第６溝部を複数本設けることで、第１可動部材８０及び第２可動部材８２は、第１支持部４４及び第２支持部４６に対して、より安定して取り付けられるため、上方及び下方により安定して摺動可能となる。なお、第１支持部４４と第１可動部材８０とは接するように示されているが、実際は、上方及び下方に摺動可能なように、第１支持部４４と第１可動部材８０との摩擦を減らして、各部材の摩耗を防ぐように、第１支持部４４と第１可動部材８０とは隙間があることが好ましい。また、第２支持部４６と第２可動部材８２とにおいても、第１支持部４４と第１可動部材８０と同様である。また、第１可動部材８０及び第２可動部材８２は、図１２（ｄ）に示されるように、柱状であることが好ましい。第１可動部材８０及び第２可動部材８２が柱状であることによって、第１レール巻き取り機構３０をフェンス４００の上方に設けることができ、また、フェンス４００を安定して立てることができる。
【００６６】
以上のような構成を有する本発明の一実施形態に係るフェンスは、上下に可動することができる。よって、卓球競技の設営スタッフが、本発明の一実施形態に係るフェンスを上下に可動することによって、当該フェンス４００と床面１１０との間に隙間ができないようにすることができる。したがって、本発明の一実施形態に係る可動部材が設けられたフェンスによって、ボールが卓球台（コートとも呼ぶ）から外れても、フェンスと床面の隙間から、ボールが転がり出てしまうことを防止することができ、卓球台の周囲にボールをとどまらせることができる。
【００６７】
６．第５実施形態
本実施形態では、本発明の一実施形態に係る第２板状部材が設けられたフェンスを説明する。なお、第１実施形態乃至第４実施形態と同様の構成に関しては説明を省略することがある。
【００６８】
図１３（ａ）は本発明の一実施形態に係る第２板状部材２８が設けられたフェンス５００の模式的な側面図である。図１３（ｂ）は本発明の一実施形態に係る第２板状部材２８が設けられたフェンス５００の収納時の模式的な側面図である。図１４（ａ）は本発明の一実施形態に係る第２板状部材２８が設けられたフェンス５００の模式的な断面図である。図１４（ｂ）は本発明の一実施形態に係る第２板状部材２８が設けられたフェンス５００の模式的な上面図である。図１３及び図１４に示したフェンス５００は、連結板状部９０を有している点が、第１実施形態で示したフェンス１００と異なる。それ以外は、第１実施形態で示したフェンス１００と同じであるから、ここでの説明は省略する。なお、図１４（ａ）は、図１４（ｂ）のＥ１−Ｅ２線に沿った模式的な断面図である。
【００６９】
図１３に示したフェンス５００は、第１板状部材２２と、第１板状部材２２とは大きさが異なる第２板状部材２８を有する。なお、第１板状部材２２と、第２板状部材２８とは、第１実施形態で説明した連結部材２６で連結される。連結板状部９０の一方の側端部、即ち、第２板状部材２８の側端部は、第１支持部４０と折りたたみ可能に連結されている。連結板状部９０の他方の側端部、即ち、第２板状部材２８の側端部は、第２支持部４２と折りたたみ可能に連結されている。本明細書等においては、第１板状部材２２は、第１小部材と呼ぶこともある。また、本明細書等においては、第２板状部材２８は、第２小部材と呼ぶこともある。
【００７０】
図１３に示されるように、第２板状部材２８は第１板状部材２２と比較して、フェンスを広げたときのｘ方向の長さが短い。
【００７１】
フェンス５００は、図１４に示されるように、連結板状部９０を構成する複数の第１板状部材２２及び第２板状部材２８がたたまれるように構成されている。また、フェンス５００において、第１係合部２４は、上面視において、第１板状部材２２の略真ん中に設けられている。さらに、第１支持部４０及び第２支持部４２は、四辺のうち、一辺がないコの字状になっており、連結板状部９０がたたまれて、収容可能になっている。第１支持部４０及び第２支持部４２は、第１板状部材２２がたたまれて、収容可能になっているとき、収容部と呼ばれることもある。第１支持部４０及び第２支持部４２がコの字状になっており、連結板状部９０の側端部が第１板状部材２２よりも広げたときのｘ方向の長さが短い第２板状部材２８を有し、第１係合部２４が、上面視において、第１板状部材２２の略真ん中に設けられることによって、第１支持部４０及び第２支持部４２に、フェンス５００を小さくたたむことができるため、フェンス５００を小さな空間に収容することができる。
【００７２】
７．第６実施形態
本実施形態では、本発明の一実施形態に係るレール構成部材の他の例を説明する。なお、第１実施形態乃至第５実施形態と同様の構成に関しては説明を省略することがある。
【００７３】
図１５（ａ）は本発明の一実施形態に係るフェンス１００が有する第３レール構成部材１８の模式図である。図１５（ｂ）は本発明の一実施形態に係るフェンス１００が有する第３レール構成部材１８の模式的な上面図である。図１５（ｃ）は本発明の一実施形態に係るフェンス１００が有する第３レール７０の一部を示す模式的な上面図である。図１５（ｄ）は本発明の一実施形態に係るフェンス１００の模式的な上面図である。
【００７４】
第３レール構成部材１８は、第１レール構成部材１２と比較して、第３溝部１９が、側面に設けられている。前記側面は、鉛直線と略直交する法線を有する面である。それ以外の点は、第１レール構成部材１２と同様であるから、ここでの説明は省略する。
【００７５】
図１５（ｃ）に示すように、第３レール７０は、複数の第３レール構成部材１８から構成される。複数の第３レール構成部材１８の嵌合方法は、第１レール１０における複数の第１レール構成部材１２の嵌合方法と同様であるから、ここでの説明は省略する。また、第１レール１０と同様に、第３レール７０が有する第４溝部２１は、第３レール７０を構成する複数の第３レール構成部材１８のそれぞれが有する第３溝部１９が接続され、構成される。
【００７６】
図１５（ｄ）は、第３レール巻き取り機構７２に、第３レール構成部材１８を用いた第３レール７０を採用した場合の、フェンス１００の模式的な上面図である。第１レール１０と同様に、第３レール７０の第１端部２３は第３レール巻き取り機構７２を介して第１支持部４０に固定されている。第１レール１０と同様に、第３レール７０の第２端部２５も、第２支持部４２に固定されている。第３溝部１９は、第１係合部２４と係合される。即ち、第４溝部２１は、鉛直線と略一致する法線を有する面と平行になるように配置され、第１係合部２４と係合される。第３レール巻き取り機構７２が有する巻き車の回転軸は、鉛直線と略同じ方向である。図１５（ｄ）に示す矢印の方向に、第３レール巻き取り機構７２が有する巻き車を回転させることによって、本発明の一実施形態に係るフェンス１００を、広げた状態、及び、たたんだ状態にすることができる。
【００７７】
第１レール構成部材１２、及び第３レール構成部材１８で示したように、本発明の一実施形態にかかるレール構成部材は、溝部の位置を適宜変えることができる。したがって、フェンスへの取り付け位置を、自由に変えることができる。
【００７８】
８．第７実施形態
本実施形態では、本発明の一実施形態に係るレール構成部材のさらに他の例を説明する。なお、第１実施形態乃至第６実施形態と同様の構成に関しては説明を省略することがある。
【００７９】
図１６（ａ）は本発明の一実施形態に係るフェンス１００が有する第４レール構成部材９８の模式図である。図１６（ｂ）は本発明の一実施形態に係るフェンス１００が有する第４レール構成部材９８の模式的な上面図である。図１６（ｃ）は本発明の一実施形態に係るフェンス１００が有する第４レール７４の一部を示す模式的な上面図である。図１６（ｄ）は本発明の一実施形態に係る第１係合部２４の模式的な正面図である。
【００８０】
第４レール構成部材９８は、第３レール構成部材１８と比較して、第６溝部９１が、第３溝部１９とは反対側の側面に設けられている。前記側面は、鉛直線と略直交する法線を有する面である。即ち、第４レール７４は、鉛直線と略直交する法線を有する面に第３溝部１９及び第６溝部９１を有している。それ以外の点は、第３レール構成部材１８と同様であるから、ここでの説明は省略する。
【００８１】
図１６（ｃ）に示すように、第４レール７４は、複数の第４レール構成部材９８から構成される。複数の第４レール構成部材９８の嵌合方法は、第１レール１０における複数の第１レール構成部材１２の嵌合方法と同様であるから、ここでの説明は省略する。また、第３レール７０と同様に、第４レール７４が有する第４溝部２１は、第４レール７４を構成する複数の第４レール構成部材９８のそれぞれが有する第３溝部１９が接続され、構成される。なお、第４レール７４が有する第７溝部９２は、第４レール７４を構成する複数の第４レール構成部材９８のそれぞれが有する第６溝部９１が接続され、構成される。第４レール７４は、第１レール１０、または、第２レール５０と置き換えることができる。図示は省略するが、第４レール７４は、第１端部２３及び第２端部２５を有している。図１に示す第１レール１０と同様に、第４レール７４が有する第１端部２３は第１レール巻き取り機構３０を介して第１支持部４０に固定され、第４レール７４が有する第２端部２５は第２支持部４２に固定される。
【００８２】
図１６（ｄ）は、第４レール構成部材９８を用いた第４レール７４を採用する場合の、第１係合部２４の模式的な正面図である。第１係合部２４は、第１係合部材９４、及び第２係合部材９６を有する。例えば、第３溝部１９が第１係合部材９４に係合され、第６溝部９１が第２係合部材９６に係合される。このとき、第４レール７４が有する第４溝部２１が第１係合部材９４に係合され、第４レール７４が有する第７溝部９２が第２係合部材９６に係合される。なお、第４レール７４を、第２レール５０と置き換える場合、第２係合部５４は、図１６（ｄ）に示す第１係合部２４と同様の構造となる。
【００８３】
本発明の一実施形態に係るフェンスは、二つの溝を有するレール構成部材を有することによって、レールを２箇所で支持することができる。よって、レールを１箇所で支持する場合と比較して、レールの歪みを少なくすることができる。また、レールの歪みが少ないことによって、レール巻き取り機構が、レールを均一に巻き取ることができる。したがって、本発明の一実施形態に係るフェンスは、二つの溝を有するレール構成部材を有することによって、フェンスが歪むことなく、或いは、破損することなく、安定してたたむ、或いは、広げることができる。
【００８４】
９．第８実施形態
本実施形態では、本発明の一実施形態に係るレール構成部材のさらに他の例を説明する。なお、第１実施形態乃至第７実施形態と同様の構成に関しては説明を省略することがある。
【００８５】
図１７（ａ）は本発明の一実施形態に係るフェンス１００が有する第５レール構成部材１２０の模式図である。図１７（ｂ）は本発明の一実施形態に係るフェンス１００が有する第５レール構成部材１２０の模式的な上面図である。図１７（ｃ）は本発明の一実施形態に係るフェンス１００が有する第５レール１２２の一部を示す模式的な上面図である。図１７（ｄ）は本発明の一実施形態に係る第２係合部５４の模式的な正面図である。図１７（ｅ）は本発明の一実施形態に係る第２係合部５４が第１板状部材２２に設けられた状態の模式図である。
【００８６】
第５レール構成部材１２０は、第１レール構成部材１２と比較して、第２溝部１６が設けられていない。それ以外の点は、第１レール構成部材１２と同様であるから、ここでの説明は省略する。
【００８７】
図１７（ｃ）に示すように、第５レール１２２は、複数の第５レール構成部材１２０から構成される。複数の第５レール構成部材１２０の嵌合方法は、第１レール１０における複数の第１レール構成部材１２の嵌合方法と同様であるから、ここでの説明は省略する。第５レール１２２は、第２レール５０と置き換えることができる。図示は省略するが、第５レール１２２は、図７に示す第２レール５０と同様に、第１端部２３及び第２端部２５を有し、第１端部２３は第２レール巻き取り機構６０を介して第１支持部４０に固定され、第２端部２５は第２支持部４２に固定される。なお、第３レール巻き取り機構７２に第３レール７０を採用した構成を、レールが下部に設けられたフェンスに適用し、第３レール７０を第５レール１２２と置き換えてもよい。
【００８８】
図１７（ｄ）は、第５レール構成部材１２０を用いた第５レール１２２を採用する場合の、第２係合部５４の模式的な正面図である。第２係合部５４は、一つの部材が二つに分岐された、二股状の構造を有する。第２係合部５４は、二股状の構造を有することによって、第５レール１２２に跨るように係合する。図１７（ｄ）においては、理解の促進のため、第５レール１２２も示している。また、図１７（ｄ）においては、理解の促進のため、第２係合部５４と、第５レール１２２とは離れて示されているが、実際は接している。第２係合部５４は、第５レール１２２上を摺動する。
【００８９】
第２係合部５４の二股状の二股部分の長さをＨ１、第５レール１２２の厚さをＨ２としたとき、Ｈ１はＨ２よりも長いことが好ましい。Ｈ１はＨ２よりも長いことによって、第２係合部５４が第５レール１２２から外れることを防止できる。
【００９０】
図１７（ｅ）は、第２係合部５４が第１板状部材２２に設けられた状態の模式図である。第２係合部５４は、フェンスを広げた状態で、ｘ方向から見た場合、おおよそ図１７（ｅ）に示すような位置になるように、第１板状部材２２に対して、回動可能に設けられる。
【００９１】
本発明の一実施形態に係るフェンスは、溝が無いレール構成部材に対して、二股の係合部を係合させることによって、レール巻き取り機構がレールを巻き取ることで、容易に連結板状部をたたむことができる。また、本発明の一実施形態に係るフェンスは、同様にして、巻き取られたレールを伸ばすことによって、たたまれた連結板状部を、容易に広げることができる。
【００９２】
本発明の実施形態として上述した各実施形態は、相互に矛盾しない限りにおいて、適宜組み合わせて実施することができる。また、各実施形態のフェンスを基にして、当業者が構成要素を、適宜、追加、削除もしくは設計変更を行ったものも、本発明の要旨を備えている限り、本発明の範囲に含まれる。
【００９３】
上述した各実施形態の態様によりもたらされる作用効果とは異なる他の作用効果であっても、本明細書の記載から明らかなもの、又は、当業者において容易に予測し得るものについては、当然に、本発明によりもたらされるものと解される。
【符号の説明】
【００９４】
１０・・・第１レール、１２・・・第１レール構成部材、１３・・・孔部、１４・・・第１溝部、１５・・・突起部、１６・・・第２溝部、１８・・・第３レール構成部材、１９・・・第３溝部、２０・・・連結板状部、２１・・・第４溝部、２２・・・第１板状部材、２３・・・第１端部、２４・・・第１係合部、２５・・・第２端部、２６・・・連結部材、２７・・・連結部材、２８・・・第２板状部材、２９・・・支持部材、３０・・・第１レール巻き取り機構、３２・・・チェーン、３４・・・第１レール巻き取り機構、３６・・・楕円形状の孔、４０・・・第１支持部、４１・・・支持部材、４２・・・第２支持部、４３・・・支持部材、４４・・・第１支持部、４６・・・第２支持部、４８・・・第５溝部、５０・・・第２レール、５２・・・第２レール構成部材、５４・・・第２係合部、６０・・・第２レール巻き取り機構、６２・・・第２レール巻き取り機構、６３・・・巻き車、７０・・・第３レール、７２・・・第３レール巻き取り機構、７４・・・第４レール、８０・・・第１可動部材、８１・・・第３係合部、８２・・・第２可動部材、９０・・・連結板状部、９１・・・第６溝部、９２・・・第７溝部、９４・・・第１係合部材、９６・・・第２係合部材、９８・・・第４レール構成部材、１００・・・フェンス、１１０・・・床面、１２０・・・第５レール構成部材、１２２・・・第５レール、２００・・・フェンス、３００・・・フェンス、４００・・・フェンス、５００・・・フェンス
【図１】
2019176952.tif 000003
【図２】
2019176952.tif 000004
【図３】
2019176952.tif 000005
【図４】
2019176952.tif 000006
【図５】
2019176952.tif 000007
【図６】
2019176952.tif 000008
【図７】
2019176952.tif 000009
【図８】
2019176952.tif 000010
【図９】
2019176952.tif 000011
【図１０】
2019176952.tif 000012
【図１１】
2019176952.tif 000013
【図１２】
2019176952.tif 000014
【図１３】
2019176952.tif 000015
【図１４】
2019176952.tif 000016
【図１５】
2019176952.tif 000017
【図１６】
2019176952.tif 000018
【図１７】
2019176952.tif 000019